(57)【要約】【課題】ミキシングシステムにおいてシーンリコールを行う際、リコール範囲に属する（または属しない）設定データをシーン毎に予め設定しておく。【解決手段】ミキシングシステムの現在の設定状態であるカレントデータに対して図８に示すウィンドウ１３０をディスプレイに表示する。パラメータ選択部１３６における各ボタンは、カレントデータに属する各チャンネルのパラメータ群に対応し、オンオフ操作が可能である。このカレントデータがシーンデータとして記録される際、このウィンドウ１３０の設定内容もカレントデータの一部として記憶される。そして、該シーンがリコールされる際には、リコール範囲に設定されたパラメータ群の設定データのみがリコールされる。【選択図】  図８
2004247898.tif 000002
【特許請求の範囲】
【請求項１】
複数の設定データと、これら設定データのうちリコール範囲になるものを特定する範囲データとを含むカレントデータをカレント領域に記憶する過程と、
一の前記カレントデータを一のシーンデータとして、複数のシーンデータをシーン領域に記憶する記憶過程と、
前記カレント領域に記憶された前記設定データに基づいて、入力された複数の信号の特性を制御し、特性の制御された複数の信号を選択しつつ複数通りにミキシングし、ミキシングされた複数の信号を出力する信号処理過程と、
設定操作を検出すると、前記設定データのうち少なくとも一部を変更する設定データ変更過程と、
リコール範囲の設定操作を検出すると、前記カレント領域内に記憶された前記範囲データを設定する範囲データ変更過程と、
ストア操作を検出すると、前記カレント領域内のカレントデータを前記シーン領域内に保存するシーン保存過程と、
前記シーン領域に記憶されたシーンデータのうちの何れかに対するリコール操作を検出すると、  指定されたシーンデータに含まれる複数の設定データのうち、対応する範囲データによって前記リコール範囲に設定されている設定データを前記カレント領域に書き込むシーン復元過程と
を有することを特徴とするミキシングシステムの制御方法。
【請求項２】
前記設定データ変更過程は、リコールする設定データを指定する第１の操作あるいはリコールしない設定データを指定する第２の操作のうち任意に選択された何れかの操作によってユーザがリコール範囲になる設定データを特定する過程であることを特徴とする請求項１記載のミキシングシステムの制御方法。
【請求項３】
前記記憶過程においては、前記リコール範囲に属するか否かにかかわらず全ての設定データが前記シーン領域に記憶され、
所定の操作によって、前記リコール範囲に属するか否かにかかわらず全ての設定データを前記カレント領域に書き込む過程
をさらに有することを特徴とする請求項１記載のミキシングシステムの制御方法。
【請求項４】
請求項１ないし３の何れかに記載のミキシングシステムの制御方法を実行することを特徴とするミキシングシステム。
【請求項５】
請求項１ないし３の何れかに記載のミキシングシステムの制御方法を実行することを特徴とするプログラム。
【発明の詳細な説明】
【０００１】
【発明の属する技術分野】
本発明は、ミキシングシステムに用いて好適なミキシングシステムの制御方法、ミキシングシステムおよびプログラムに関する。
【０００２】
【従来の技術】
ミキシングシステムにおいては、操作パネル上の各種ボタンのオン／オフ状態やフェーダその他操作子によって、ミキシングアルゴリズム上のパラメータの値が決定される。近年、特に業務用のミキシングシステムにおいては、これらパラメータの値を記憶し、記憶した値（設定データ）をワンタッチでパネル上に再現できるものがある。例えばコンサートのリハーサル中に舞台上の場面（シーン）毎に最適な設定データが設定されると、これら設定データが各シーン毎にメモリ（シーンメモリ）に記憶される。そして、本番中においては、舞台転換が行われる際に、その時々のシーンに応じた設定データがワンタッチで再現される。このような再現操作を「シーンリコール」と呼ぶ。
【０００３】
しかし、ミキシングシステムの操作子の中には、その時々の状況に応じて操作量等を設定すべきものもあるため、一部のパラメータをシーンリコールの対象から外すべき場合も多い。このため、非特許文献１には、シーンリコールが行われた場合であっても、一部のパラメータについてはリコールの対象から外す機能（リコールセーフ機能）を有するミキシングシステムが開示されている。具体的には、指定されたチャンネルに属する指定された機能がリコールの対象から外されるようになっている。
【０００４】
【非特許文献１】「ＤＭ２０００取扱説明書」  ヤマハ株式会社，平成１４年２月，ｐ１５７−１６３
【０００５】
【発明が解決しようとする課題】
しかし、リコールの対象から外すべきチャンネルあるいはパラメータは、各シーン毎に異なることも多い。このため、非特許文献１に開示された技術によれば、ミキシングシステムのオペレータは、本番中に各シーンリコール操作を行う毎にリコールセーフ機能の設定を行う必要があり、操作が煩雑になるという問題があった。
この発明は上述した事情に鑑みてなされたものであり、簡単な操作で最適なシーンリコール操作を行うことができるミキシングシステムの制御方法、ミキシングシステムおよびプログラムを提供することを目的としている。
【０００６】
【課題を解決するための手段】
上記課題を解決するため本発明にあっては、下記構成を具備することを特徴とする。なお、括弧内は例示である。
請求項１記載のミキシングシステムの制御方法にあっては、複数の設定データと、これら設定データのうちリコール範囲になるものを特定する範囲データとを含むカレントデータをカレント領域（２６）に記憶する過程と、一の前記カレントデータを一のシーンデータとして、複数のシーンデータをシーン領域（２４）に記憶する記憶過程と、前記カレント領域に記憶された前記設定データに基づいて、入力された複数の信号の特性を制御し、特性の制御された複数の信号を選択しつつ複数通りにミキシングし、ミキシングされた複数の信号を出力する信号処理過程と、設定操作を検出すると、前記設定データのうち少なくとも一部を変更する設定データ変更過程と、リコール範囲の設定操作を検出すると、前記カレント領域（２６）内に記憶された前記範囲データを設定する範囲データ変更過程と、ストア操作を検出すると、前記カレント領域（２６）内のカレントデータを前記シーン領域（２４）内に保存するシーン保存過程と、前記シーン領域（２４）に記憶されたシーンデータのうちの何れかに対するリコール操作を検出すると、指定されたシーンデータに含まれる複数の設定データのうち、対応する範囲データによって前記リコール範囲に設定されている設定データを前記カレント領域（２６）に書き込むシーン復元過程とを有することを特徴とする。
さらに、請求項２記載の構成にあっては、請求項１記載のミキシングシステムの制御方法において、前記設定データ変更過程は、リコールする設定データを指定する第１の操作あるいはリコールしない設定データを指定する第２の操作のうち任意に選択された何れかの操作によってユーザがリコール範囲になる設定データを特定する過程であることを特徴とする。
さらに、請求項３記載の構成にあっては、請求項１記載のミキシングシステムの制御方法において、前記記憶過程においては、前記リコール範囲に属するか否かにかかわらず全ての設定データが前記シーン領域（２４）に記憶され、所定の操作によって、前記リコール範囲に属するか否かにかかわらず全ての設定データを前記カレント領域（２６）に書き込む過程をさらに有することを特徴とする。
また、請求項４記載のミキシングシステムにあっては、請求項１ないし３の何れかに記載のミキシングシステムの制御方法を実行することを特徴とする。
また、請求項５記載のプログラムにあっては、請求項１ないし３の何れかに記載のミキシングシステムの制御方法を実行することを特徴とする。
【０００７】
【発明の実施の形態】
１．実施形態のハードウエア構成
次に、本発明の一実施形態のミキシングシステム１のハードウエア構成を図１を参照し説明する。
図において６は電動フェーダ部であり、オペレータの操作に基づいて各入出力チャンネルの信号レベルを調節する。さらに、電動フェーダ部６は、バス２８を介して操作コマンドが供給されると、その操作位置が自動設定されるように構成されている。なお、電動フェーダ部６は、複数の電動フェーダ６−１〜６−ｎ（図２参照）から構成されている。２は個別表示器部であり、各電動フェーダ６−１〜６−ｎに一対一に対応した個別表示器２−１〜２−ｎ（図２参照）から構成され、各個別表示器２−１〜２−ｎには所定数の文字列が表示される。
【０００８】
４はスイッチ群であり、各種のスイッチおよびＬＥＤキーから構成され、ＬＥＤキーに内蔵されたＬＥＤの点滅状態はバス２８を介して設定される。８は回転つまみ群であり、各電動フェーダ６−１〜６−ｎに対応する回転つまみ８−１〜８−ｎ（図２参照）の他、各種回転つまみから構成されている。これら回転つまみの操作量はバス２８を介して出力される。
【０００９】
１０は波形Ｉ／Ｏ部であり、アナログ音声信号またはデジタル音声信号の入出力を行う。本実施形態においては、各種音声信号のミキシング処理・効果処理等は全てデジタル処理により実行される。しかし、外部から入力される音声信号および外部に出力すべき音声信号はアナログ信号であることが多い。このため、波形Ｉ／Ｏ部４には、複数のスロットが設けられ、各スロットには必要に応じてマイクレベルアナログ入力、ラインレベルアナログ入力、デジタル入力、アナログ出力、デジタル出力等、各種機能を有するカードが挿入され、これらカードによって必要な変換処理が実行される。さらに、各カードには一または複数のポートが設けられる。
【００１０】
次に、１２は信号処理部であり、一群のＤＳＰ（デジタル・シグナル・プロセッサ）によって構成されている。信号処理部１２は、波形Ｉ／Ｏ部１０を介して供給されたデジタル音声信号に対してミキシング処理や効果処理を施し、その結果を波形Ｉ／Ｏ部１０に出力する。１４は大型表示器であり、例えば「１０２４×７６８」程度の解像度を有するフラットパネルディスプレイによって構成されている。
【００１１】
１６はキーボードであり、文字列や操作コマンドなどが入力される。１８はタッチパッドであり、大型表示器１４におけるマウスカーソル位置等を制御するとともに、大型表示器１４に表示されたボタン等を押下する等の操作を行う。２０はその他Ｉ／Ｏ部であり、各種の外部機器との間でタイムコードその他の情報を入出力する。２２はＣＰＵであり、後述する制御プログラムに基づいて、バス２８を介して各部を制御する。２４はフラッシュメモリであり、その内部のプログラム領域には上記制御プログラムが記憶されている。２６はＲＡＭであり、ＣＰＵ２２のワークメモリとして使用される。
【００１２】
３０は外部スイッチャーであり、必要に応じて波形Ｉ／Ｏ部１０に接続され、ここに入力された複数系統の音声信号は適宜切り換えられた後に波形Ｉ／Ｏ部１０内の各ポートに供給される。外部スイッチャー３０には複数の入力端子および出力端子が設けられ、これら入力端子および出力端子間の接続状態を任意に切り換えることが可能である。そして、この外部スイッチャー３０における接続状態を示す制御信号が、その他Ｉ／Ｏ部２０を介してミキシングシステム１に入力される。
【００１３】
本実施形態のミキシングシステムにおいては、当該システムの現在の動作を制御する各種パラメータ（カレントデータ）がＲＡＭ２６内のカレント領域に記憶されている。すなわち、オペレータがスイッチ群４、電動フェーダ部６、回転つまみ群８、キーボード１６、タッチパッド１８等を操作することによりカレントデータの内容が更新され、また、該カレントデータに基づいて信号処理部１２におけるミキシング処理や効果処理、個別表示器部２や大型表示器１４における表示状態、スイッチ群４のＬＥＤの点滅状態、電動フェーダ部６の各フェーダの位置などが制御される。そして、カレントデータは適宜フラッシュメモリ２４内の「シーン領域」またはその他Ｉ／Ｏ部２０に接続された外部記憶装置（図示せず）に「シーンデータ」として格納することができる。そして、「シーン領域」には複数種類のシーンのシーンデータを格納（ストア）することができる。従って、舞台転換等の際には、オペレータは必要なシーンを選択して呼び出すことにより、ワンタッチでカレント領域に再現（リコール）することができる。なお、カレントデータの一部には、シーン領域には記憶されないデータ（後述するリコールセーフ機能の設定パラメータ等）も含まれており、これらのデータに関してはストアもリコールもされない。
【００１４】
２．実施形態のミキシングアルゴリズム構成
次に、信号処理部１２等において実現されるアルゴリズムの内容を図３を参照し説明する。
図において５２はアナログ入力部であり、マイクレベルまたはラインレベルのアナログ音声信号を受信すると、これをデジタル音声信号に変換し、信号処理部１２に供給する。５４はデジタル入力部であり、デジタル音声信号を受信すると、これを信号処理部１２内のフォーマットに変換する。６８はアナログ出力部であり、信号処理部１２から供給されたデジタル音声信号をアナログ音声信号に変換し外部に出力する。７０はデジタル出力部であり、信号処理部１２から供給された内部フォーマットのデジタル音声信号を所定フォーマット（ＡＥＳ／ＥＢＵ，ＡＤＡＴ，ＴＡＳＣＡＭ等）のデジタル音声信号に変換し出力する。
【００１５】
以上述べた構成は、信号処理部１２とは別体のハードウエアである波形Ｉ／Ｏ部１０およびここに介挿される各種カード等により実現されているが、上記以外の構成は信号処理部１２において動作するプログラムによって実現されている。６０は入力チャンネル調整部であり、電動フェーダ部６および回転つまみ群８等の操作に基づいて、最大９６チャンネルの入力チャンネルに対して音量・音質等の調整を行う。５６は内蔵エフェクタであり、最大８チャンネルの音声信号に対してエフェクト処理を施す。５８は入力パッチ部であり、入力部５２，５４における各ポートおよび内蔵エフェクタ５６の出力信号を入力チャンネル調整部６０における任意の入力チャンネルに割り当てる。
【００１６】
６２はＭＩＸバス群であり、「４８」系統のＭＩＸバスから構成されている。各ＭＩＸバスにおいては、各入力チャンネルのデジタル音声信号がミキシングされる。各入力チャンネルにおいては、音声信号を各ＭＩＸバスに供給するか否かをＭＩＸバス毎に設定することができ、供給する場合には各ＭＩＸバスに対するセンドレベルも系統毎に独立して設定することができる。６４はＭＩＸ出力チャンネル部であり、これらＭＩＸバスにおけるミキシング結果のレベル調節および音質調節を行なう。６６は出力パッチ部であり、ＭＩＸ出力チャンネル部６４による調整結果を、各出力部６８，７０の任意の出力ポートまたは上記内蔵エフェクタ５６に割り当てる。
【００１７】
次に、入力チャンネル調整部６０におけるアルゴリズム構成を図４を参照し説明する。図において６０−１は第１入力チャンネル調整部であり、第１入力チャンネルにおける音質・音量調整を行う。第１入力チャンネル調整部６０−１の内部において８０はアッテネータ部であり、供給された音声信号を減衰させる。８２はイコライザ部であり、音声信号の周波数特性を設定する。８４はゲート部であり、所定レベル以下の音声信号を減衰させることによりノイズを低減させるゲート処理を実行する。
【００１８】
８６はコンプレッサ部であり、音声信号のダイナミックレンジを圧縮するコンプレッサ処理を実行する。８８は音量調節部であり、電動フェーダ等の操作量に応じて音声信号を減衰させる。９０はセンド調節部であり、第１入力チャンネル調整部６０−１から各ＭＩＸバスに信号を供給するか否かを切り換え、供給する場合にはそのセンドレベルを各ＭＩＸバス毎に設定する。以上、第１入力チャンネルに対する第１入力チャンネル調整部６０−１のアルゴリズムの詳細を説明したが、上記以外の入力チャンネルおよびＭＩＸ出力チャンネルについてもこれらと同様の入力チャンネル調整部またはＭＩＸ出力チャンネル部が設けられている。
【００１９】
３．上面パネルの構成
次に、ミキシングシステム１の上面パネルの要部の構成を図２を参照し説明する。
図において１７−１〜１７−ｎはチャンネルストリップであり、各々が一の入力チャンネルまたはＭＩＸ出力チャンネル等に割り当てられ、上面パネルの左右方向に沿って一列に配置されている。電動フェーダ６−１〜６−ｎは、各チャンネルストリップ内に１個づつ設けられている。また、電動フェーダ６−１〜６−ｎのすぐ奥手側には、対応するチャンネル名等を表示する個別表示器２−１〜２−ｎが設けられている。
【００２０】
４２−１〜４２−ｎはＯＮキーであり、電動フェーダ６−１〜６−ｎに割り当てられた入力チャンネル等のオンオフ状態を切り換える。４１−１〜４１−ｎはＳＥＬキーであり、択一的にオン状態に設定され、これによってイコライザ部８２等の詳細設定を行うべきチャンネルを択一的に選択するものである。回転つまみ８−１〜８−ｎは、各入力チャンネルのアッテネータ部８０における減衰率等を設定するものである。
【００２１】
ところで、本実施形態において入力チャンネル数は「９６」、ＭＩＸ出力チャンネル数は「４８」であるが、チャンネルストリップの数は「２４」個しか設けられていない。また、これら入出力チャンネルのフェーダに加えてＤＣＡフェーダ（詳細は後述する）を設けるべき場合もある。そこで、各入力チャンネルおよびＭＩＸ出力チャンネルは複数の「レイヤ」に分割され、チャンネルストリップ１７−１〜１７−ｎに展開されるレイヤが指定されることによって、任意のチャンネルの調節を行うことが可能になっている。４３−１〜４３−６はレイヤ・キーであり、チャンネルストリップ１７−１〜１７−ｎに展開すべきレイヤを択一的に選択する。例えば、レイヤ・キー４３−１は第１〜第２４入力チャンネルのレイヤを選択するキーであり、レイヤ・キー４３−２は第２５〜第４８入力チャンネルのレイヤを選択するキーである。
【００２２】
４４，４５は表示モード選択キーであり、個別表示器２−１〜２−ｎに表示すべき名称としてチャンネル名を指定する「チャンネル名モード」またはポート名を指定する「ポート名モード」のうち一方の表示モードを選択する。１５は選択チャンネル調整部であり、複数のキーおよび回転つまみ等が設けられ、上記ＳＥＬキー４１−１〜４１−ｎによって選択されたチャンネルに対してアッテネータ部８０、イコライザ部８２、ゲート部８４、コンプレッサ部８６およびセンド調節部９０等の詳細設定を行う。
【００２３】
４．実施形態の動作
４．１．一般的な動作
本ミキシングシステムにおいて、何れかのフェーダ、回転つまみあるいはキー等の操作子の操作イベントが発生すると、その操作内容に応じたルーチンが起動される。特に、一般的な（後述するポート名やチャンネル名の設定、シーンデータの記録、シーンリコール、レイヤ選択等の特殊な操作イベントを除いた）音量・音質調節等に係る操作イベントが発生すると、当該操作内容に基づいて、カレントデータ内の対応するパラメータの値（設定データ）が更新される。
【００２４】
例えば、電動フェーダあるいは回転つまみが操作されると、操作後の操作量に対応する制御データ（レベルデータ、周波数データなど）がカレントデータの対応箇所に記憶され、キーが操作された場合にはその操作後のオンオフ状態等が記憶されることになる。次に、更新後のカレントデータに基づいて、ミキシングアルゴリズム（図３）における各種パラメータ、すなわち信号処理部１２内に設けられたパラメータ用のレジスタの内容が更新され、出力される音声信号に操作内容が反映されることになる。さらに、更新後のカレントデータに基づいて、操作パネル上の各種設定が実行される。例えば、キー内部のＬＥＤの点灯／消灯、回転つまみ部の周囲のＬＥＤの点灯／消灯、各種表示器の表示内容の変更、電動フェーダの駆動等が実行される。
【００２５】
４．２．ポート名設定
キーボード１６においてポート名を設定するための所定の操作が行われると、大型表示器１４に図５に示す入力ポート名設定ウィンドウ１００が表示される。
図において１０２はスロット番号表示部であり、波形Ｉ／Ｏ部１０に設けられた複数のスロットのスロット番号を表示する。上述したように、各スロットには、様々な機能を有するカードが挿入され、これらカードには一または複数のポートが設けられる。１０４はポート番号表示部であり、これらポートのポート番号を表示する。１０６はポート名表示部であり、各ポートに付与されたポート名を表示する。このポート名表示部１０６には、キーボードカーソル（図上ではハッチングで示す）を置くことができ、キーボード１６から文字を入力することによって該カーソル位置におけるポート名を編集することができる。
【００２６】
１０８はソース名指定ボタンであり、このボタンが押下されると、ポート名表示部１０６中のキーボードカーソルが位置する欄に所定コード「＠」が入力される。この所定コード「＠」は、「ソース名」例えば外部スイッチャー３０等の音源において各信号に付与されている名前を、そのままポート名として使用することを意味する。なお、所定コード「＠」はソース名指定ボタン１０８によって入力されるだけではなく、キーボード１６において所定の操作（例えばコントロールキーを押しながら文字を入力する等の操作）を行うことによっても入力することができる。
【００２７】
但し、該所定コード「＠」は、ポート名の第１文字目のみに入力することができる。このように、本実施形態においては、所定コード「＠」を特殊な操作（ソース名指定ボタン１０８の押下あるいはキーボード１６におけるコントロールキーを押しながらの文字入力）によって、第１文字目のみに入力可能にしたことにより、オペレータが操作を誤って所定コード「＠」を入力するような事態を未然に防止でき、人的エラーを削減することができる。１１０はＥＸＩＴボタンであり、該ボタンが押下されると、ウィンドウ１００が閉じられる。また、キーボード１６において他の所定の操作を行うことにより、この入力ポート名設定ウィンドウ１００と同様に構成された出力ポート名設定ウィンドウも表示させることができ、上記入力ポート名と同様にして出力ポート名も編集することができる。
【００２８】
４．３．チャンネル名設定
キーボード１６においてチャンネル名を設定するための所定の操作が行われると、大型表示器１４に図６に示す入力チャンネル名設定ウィンドウ１２０が表示される。図において１２２はチャンネル番号表示部であり、各入力チャンネルのチャンネル番号を表示する。１２４はチャンネル名表示部であり、各入力チャンネルに付与されたチャンネル名を表示する。このチャンネル名表示部１２４には、キーボードカーソル（図上ではハッチングで示す）を置くことができ、キーボード１６から文字を入力することによって該カーソル位置におけるチャンネル名を編集することができる。
【００２９】
１２６はポート名指定ボタンであり、このボタンが押下されると、チャンネル名表示部１２４中のキーボードカーソルが位置する欄に所定コード「＃」が入力される。この所定コード「＃」は、当該入力チャンネルに割り当てられている入力ポートの「ポート名」を、そのままチャンネル名として使用することを意味する。なお、所定コード「＃」はポート名指定ボタン１２６によって入力されるだけではなく、キーボード１６において所定の操作を行うことによっても入力することができ、上述した所定コード「＠」と同様に第１文字目にのみ入力することができる。１２８はＥＸＩＴボタンであり、該ボタンが押下されると、ウィンドウ１２０が閉じられる。
【００３０】
また、キーボード１６において他の所定の操作を行うことにより、この入力チャンネル名設定ウィンドウ１２０と同様に構成されたＭＩＸ出力チャンネル名設定ウィンドウも表示させることができ、上記入力チャンネル名と同様にしてＭＩＸ出力チャンネルのチャンネル名も編集することができる。
【００３１】
４．４．範囲選択リコール機能の設定
上述したように、本実施形態においては、現在のミキシングシステム１の設定状態をシーンデータとしてフラッシュメモリ２４等に記憶しておくことができ、後に記憶したシーンデータをリコールすることができる。その際、シーンデータに含まれる全てのパラメータに係る設定データをリコールするのではなく、シーンデータの一部の設定データのみをリコールすることができる。かかる操作を「範囲選択リコール」という。
【００３２】
キーボード１６で範囲選択リコールの設定を開始するための所定の操作を行うと、大型表示器１４に図８，図９に示す範囲選択リコール設定ウィンドウ１３０，１６０が表示される。１３０は入力チャンネルのリコール範囲設定のウィンドウ、１６０はエフェクトおよびＤＣＡのリコール範囲設定のウィンドウであり、図示はしないがこの他にＭＩＸ出力チャンネルのリコール範囲設定ウィンドウも存在する。これらのウィンドウは「カレントデータ」に対する範囲選択リコールの設定を行うものである。すなわち、オペレータがシーン番号を指定してストア操作を行うと、ウィンドウ１３０，１６０等で設定されたリコール範囲のデータを含む当該カレントデータが、指定されたシーン番号のシーンとしてシーンメモリに保存される。なお、ウィンドウ１３０，１６０等に表示された各ボタンは、ポインティングデバイス（マウスやタッチパッド等）のカーソルを当該ボタンに移動し、同ポインティングデバイスに付随するクリックスイッチを操作することによって、オン／オフすることができる。
【００３３】
ウィンドウ１３０の内部において１４４，１４６はモード選択ボタンであり、リコールパラメータモード（Ｒモード）またはセーフパラメータモード（Ｓモード）のうち何れか一方の動作モードを選択する。ここで、Ｒモードとは、「選択したパラメータをリコール対象とし、その他のパラメータをリコール対象から外す」モードであり、Ｓモードとは、「選択したパラメータをリコール対象から外し、その他のパラメータをリコール対象とする」モードである。
【００３４】
１３４は入力チャンネル選択部であり、各入力チャンネルに対応する複数のボタンから構成されている。この図では入力チャンネル「１」〜「８」について入力チャンネル選択部１３４およびパラメータ選択部１３６の表示が行われているが、右端のスクロールバーを用いて「１」〜「９６」の範囲でその表示をスクロールすることができる。入力チャンネル選択部１３４においてはオン状態にされたボタンに対応する入力チャンネルが選択対象となる入力チャンネル（すなわちＲモードにおいてはリコール対象となる入力チャンネル、Ｓモードにおいてはリコール対象外になる入力チャンネル）である。図上ではハッチングを施したチャンネルがオン状態になっているボタンである。
【００３５】
１３６はパラメータ選択部であり、各入力チャンネル毎に設けられた「ＡＬＬ」，「ＡＴＴ」，  「ＥＱ」，「ＧＴ」，「ＣＭＰ」，「ＦＤＲ」および「ＳＮＤ」ボタンによって構成されている。ここで、「ＡＴＴ」，  「ＥＱ」，「ＧＴ」，「ＣＭＰ」，「ＦＤＲ」および「ＳＮＤ」ボタンは、各々対応する入力チャンネルにおけるアッテネータ部８０，イコライザ部８２，ゲート部８４，コンプレッサ部８６，音量調節部８８およびセンド調節部９０に対応しており、これら各部８０〜９０における一または複数のパラメータ（パラメータ群という）を選択対象にするか否かを切り換えるものである。また、「ＡＬＬ」ボタンは、これらの全てを選択対象にするか否かを切り換えるものである。そして、「ＡＬＬ」ボタンがオン状態に設定されると、「ＡＴＴ」，「ＥＱ」，「ＧＴ」，「ＣＭＰ」，「ＦＤＲ」および「ＳＮＤ」ボタンは全て自動的にオフ状態に設定される。
【００３６】
１３８はセットオールボタン部であり、入力チャンネル選択部１３４の直下にある「チャンネル」ボタンと、パラメータ選択部１３６の直下にある「ＡＬＬ」，  「ＡＴＴ」，  「ＥＱ」，「ＧＴ」，「ＣＭＰ」，「ＦＤＲ」および「ＳＮＤ」ボタンとから構成される。ここで、「チャンネル」ボタンがオン状態に設定されると、入力チャンネル選択部１３４に属する全てのボタンがオン状態に設定される。また、該セットオールボタン部１３８に属する「ＡＬＬ」，  「ＡＴＴ」，  「ＥＱ」，「ＧＴ」，「ＣＭＰ」，「ＦＤＲ」または「ＳＮＤ」ボタンのうち何れのかがオン状態に設定されると、パラメータ選択部１３６内にある同名のボタンが全て自動的にオン状態に設定される。
【００３７】
１４０はクリアオールボタン部であり、入力チャンネル選択部１３４に対応する「チャンネル」ボタンと、パラメータ選択部１３６に対応する「ＡＴＴ」，  「ＥＱ」，「ＧＴ」，「ＣＭＰ」，「ＦＤＲ」および「ＳＮＤ」ボタンとから構成される。ここで、「チャンネル」ボタンがオン状態に設定されると、入力チャンネル選択部１３４に属する全てのボタンがオフ状態に設定される。また、「ＡＴＴ」，  「ＥＱ」，「ＧＴ」，「ＣＭＰ」，「ＦＤＲ」または「ＳＮＤ」ボタンのうち何れのかがオン状態に設定されると、パラメータ選択部１３６内にある同名のボタンが全て自動的にオフ状態に設定される。１４２はＥＸＩＴボタンであり、設定が終了した際に該ボタンを押下することによりウィンドウ１３０を閉じることができる。１４８はＥＮＡＢＬＥボタンであり、当該カレントデータについて範囲選択リコールを有効にするか否かを設定する。
なお、オペレータの指示に応じてカレントデータないしシーンが初期化された際のデフォルトの設定は、ＥＮＡＢＬＥボタン１４８がオフ状態（範囲選択リコールは無効）、モード選択ボタン１４４，１４６がセーフパラメータモード、入力チャンネル選択部１３４が全てオフ状態（全入力チャンネルがリコール対象）になっている。このデフォルト設定ではＥＮＡＢＬＥボタン１４８がオフであるので、範囲選択リコールを持たない従来のミキサと同様に使用することができ、当該機能を知らないオペレータに無用の混乱を与えない。
【００３８】
また、図９において１７２，１７０はモード選択ボタンであり、上記モード選択ボタン１４４，１４６と同様にＲモードまたはＳモード一方を選択する。１６２はエフェクタ選択部であり、内蔵エフェクタ５６内の８個のチャンネルに各々対応する８個のボタンから構成されている。１６４はＤＣＡ選択部であり、６個のＤＣＡチャンネルに各々対応する６個のボタンから構成されている。これらエフェクタ選択部１６２およびＤＣＡ選択部１６４の何れにおいても、オン状態のボタンに対応するチャンネルが選択対象に設定される。
【００３９】
なお、ここで「ＤＣＡ（Ｄｉｔｉｇａｌ  Ｃｏｎｔｒｏｌｌｅｄ  Ａｍｐｌｉｆｉｅｒ  または  Ｄｉｔｉｇａｌ  Ｃｏｎｔｒｏｌｌｅｄ  Ａｔｔｅｎｕａｔｏｒ  」について説明しておく。ＤＣＡとは、複数の入力チャンネルに対して、各入力チャンネルのフェーダとは別の共通のフェーダ（ＤＣＡフェーダ）を割り当て、ＤＣＡフェーダによって設定されたゲインを、各入力チャンネルのフェーダによって設定されたゲインに乗算し、これによって該複数の入力チャンネルのゲインを決定することをいう。ＤＣＡモードは、主として、ピアノ、ドラムなどの大型の楽器や、例えばオーケストラの一部のパートの音量制御に用いられる。
【００４０】
１６８はＥＸＩＴボタンであり該ボタンが押下されるとウィンドウ１６０が閉じられる。１７４はＥＮＡＢＬＥボタンであり、当該シーンについて範囲選択リコールを有効にするか否かを設定する。なお、範囲選択リコールを有効にするか否かはシーン毎に決定されるため、ＥＮＡＢＬＥボタン１７４の状態は上記ウィンドウ１３０内のＥＮＡＢＬＥボタン１４８に連動する。ウィンドウ１３０，１６０において設定された、範囲選択リコールの内容は、カレントデータの一部としてＲＡＭ２６に記憶される。従って、当該カレントデータがシーンデータとしてフラッシュメモリ２４等にストアされる場合には、範囲選択リコールの設定内容もシーンデータの一部としてストアされることになる。
【００４１】
ここで、入力チャンネル選択部１３４に属する何れかのボタン（第ｉ入力チャンネルのボタン）が押下された際の処理を図１０（ａ），（ｂ）を参照し説明する。まず、動作モードがＲモードであった場合には図１０（ａ）に示すルーチンが起動される。図において処理がステップＳＰ１０２に進むと、当該ボタンのオン／オフ状態が反転される。次に、処理がステップＳＰ１０４に進むと、反転後の状態がオン／オフの何れであるかが判定される。ここで「オン」であると判定されると、処理はステップＳＰ１０６に進み、当該ボタンに対応する第ｉ入力チャンネルに係る範囲がリコール範囲から外される。また、「オフ」であると判定されると、処理はステップＳＰ１０８に進み、当該ボタンに対応する第ｉ入力チャンネルに係る範囲のうち、「ＡＬＬ」，  「ＡＴＴ」，  「ＥＱ」，「ＧＴ」，「ＣＭＰ」，「ＦＤＲ」および「ＳＮＤ」ボタンによって選択されているパラメータがリコール範囲に含められる。
【００４２】
また、動作モードがＳモードであった場合には図１０（ｂ）に示すルーチンが起動される。図においてステップＳＰ１１２，ＳＰ１１４の処理は上記ステップＳＰ１０２，ＳＰ１０４と同様である。そして、ステップＳＰ１１４において当該ボタンの状態が「オフ」であると判定されると、処理はステップＳＰ１１６に進み、当該ボタンに対応する第ｉ入力チャンネルに係る範囲がリコール範囲に含められる。また、「オン」であると判定されると、処理はステップＳＰ１１８に進み、当該ボタンに対応する第ｉ入力チャンネルに係る範囲のうち、「ＡＬＬ」，  「ＡＴＴ」，  「ＥＱ」，「ＧＴ」，「ＣＭＰ」，「ＦＤＲ」および「ＳＮＤ」ボタンによって選択されているパラメータ群がリコール範囲から外される。
【００４３】
以上の処理により、パラメータ選択部１３６内で「オン」にされ、かつ、入力チャンネル選択部１３４内の対応する（同一行内にある）ボタンが「オン」にされているパラメータのみが、実際の選択範囲（Ｒモードにおいてはリコール範囲、Ｓモードにおいてはリコール範囲外）になる。かかる操作による設定の一例を図８を参照し説明しておく。図示の例ではＲモード選択ボタン１４６がオン状態であるから、動作モードはＲモードである。ここで、セットオールボタン部１３８内の「ＥＱ」ボタンがオン状態にされると、パラメータ選択部１３６内の全ての「ＥＱ」ボタンがオン状態にされる。
【００４４】
しかし、仮に入力チャンネル選択部１３４の全てのボタンがオフ状態であれば、何れの入力チャンネルのイコライザ部８２の設定状態もリコール範囲に含まれないことになる。ここで、入力チャンネル選択部１３４内の第２，第３および第５入力チャンネルのボタン（図８内でハッチング表示）がオン状態に設定されたとすると、その度に上記ステップＳＰ１０８が実行され、第２，第３および第５入力チャンネルのイコライザ部８２の設定内容のみがリコール範囲に含められる。
【００４５】
ミキシングシステム１の一般的な使用状態においては、範囲選択リコールを行う場合には、一または複数のチャンネルに対して、共通のパラメータ群をリコール範囲（またはリコール範囲外）に設定することが多い。本実施形態によれば、対象となるチャンネルを入力チャンネル選択部１３４によって選択し、対象となるパラメータ群をセットオールボタン部１３８によって選択することにより、かかる設定が可能になるため、オペレータが操作すべきボタン数を減少させることができる。
【００４６】
さらに、本実施形態においては、リコール範囲を設定するために、リコールパラメータモード（Ｒモード）またはセーフパラメータモード（Ｓモード）のうち任意の動作モードを選択することができる。ここで、Ｒモードは、リコール範囲が比較的狭い場合に採用すると、操作するボタンの数が少なくなり、ウィンドウ１３０，１６０も見やすくなるために好適である。逆に、Ｓモードは、リコール範囲が比較的広い場合に採用すると好適である。このように、リコール範囲の広狭に応じて最適な動作モードを選択することにより、ミキシングシステム１の操作性を一層向上させることができる。
【００４７】
４．５．リコールセーフ機能の設定
ミキシングシステム１は、上述した範囲選択リコールに加えて、従来のミキシングシステムが備えていたリコールセーフ機能も備えている。リコールセーフ機能とは、オペレータがシーンのリコール操作をするのに先立って、所望の一部のパラメータをセーフするようカレントデータに設定することにより、その後のリコール操作のリコール範囲から該所望の一部のパラメータを外すことができる機能である。範囲選択リコールもリコールセーフ機能もカレント領域において設定されるデータであるが、範囲選択リコールの設定は、シーンデータの一部としてシーン領域に保存された後で、そのシーンデータがリコールされる時に機能するのに対して、リコールセーフの設定は、シーン領域には保存されず、カレント領域に設定された状態で任意のシーンがリコールされるときに機能する点が異なる。オペレータがキーボード１６においてリコールセーフの設定を開始するための所定の操作を行うと、大型表示器１４に範囲選択リコール設定ウィンドウ１３０，１６０と同様に構成されたリコールセーフ機能設定ウィンドウが表示され、オペレータは全シーンに対してリコール範囲に含まれる（またはリコール範囲から外す）パラメータ群を指定することができる。この結果、リコール操作に応じて実際にリコールされる設定データは、範囲選択リコール機能およびリコールセーフ機能の双方においてリコール対象にされているパラメータ群に係る設定データのみになる。
【００４８】
４．６．シーンデータの記録
オペレータがキーボード１６においてシーン番号ｉを指定してストア操作を行うと、カレントデータのうちの保存すべきデータが第ｉ番目のシーンデータとしてフラッシュメモリ２４等に格納される。上述したように、シーン領域にストアされるカレントデータには、各種ボタンのオン／オフ状態やフェーダその他操作子の操作量に基づいて決定されるパラメータの設定データと、範囲選択リコールの設定内容（範囲データ）とが含まれる。そして、設定データのうちリコール範囲から外されている設定データについても、シーンデータに含められる。これは、既に作成されているシーンデータにおけるリコール範囲等を後に自由に編集できるようにするためである。
【００４９】
４．７．シーンリコール動作
オペレータがキーボード１６においてシーン番号ｉを指定してリコール操作を行うと、第ｉ番目のシーンのシーンリコールが実行される。すなわち、フラッシュメモリ２４等に記憶された任意の（第ｉ番目の）シーンデータがＲＡＭ２６のカレント領域にコピーされる。かかる処理の詳細を図１０（ｃ）を参照し説明する。図１０（ｃ）において処理がステップＳＰ１２０に進むと、第ｉ番目のシーンデータがＲＡＭ２６内の所定のワーク領域にコピーされる。
【００５０】
次に、処理がステップＳＰ１２２に進むと、ワーク領域にコピーされた第ｉ番目のシーンデータの中から、最初の一のパラメータ群（例えば第１入力チャンネルのアッテネータ部８０のパラメータ群）が処理対象として選択される。次に、処理がステップＳＰ１２４に進むと、当該パラメータ群のリコールセーフ機能の設定が、カレント領域においてセーフ状態（リコール対象から外された状態）に設定されているか否かが判定される。
【００５１】
ここで「ＮＯ」と判定されると、処理はステップＳＰ１２６に進み、第ｉ番目のシーンデータにおいて範囲選択リコールが有効であるか否かが判定される。なお、第ｉ番目のシーンデータの範囲選択リコールの有効／無効状態は、当該シーンデータがシーン領域にストアされた時点においてカレント領域に保持されていたＥＮＡＢＬＥボタン１４８，１７４のオン／オフ状態に対応する。すなわち、その時点でカレント領域においてＥＮＡＢＬＥボタン１４８，１７４がオン状態に設定されていたなら範囲選択リコールは有効であり、オフ状態に設定されていたなら範囲選択リコールは無効である。なお、第ｉ番目のシーンデータをリコールしてＥＮＡＢＬＥボタン１４８，１７４のオン／オフ状態を変更し、再び第ｉ番目のシーンデータとして保存することにより、第ｉ番目のシーンデータの範囲選択リコールの有効／無効状態を変更することができる。
【００５２】
範囲選択リコールが有効であれば、処理はステップＳＰ１３０に進み、先にステップＳＰ１２２において選択された処理対象のパラメータ群が第ｉ番目のシーンデータに設定されたリコール範囲内に属するか否かが判定される。ここで「ＹＥＳ」と判定されると、処理はステップＳＰ１２８に進み、該パラメータ群の設定データがワーク領域からカレント領域にコピーされる。これにより、カレントデータにおける該当部分が更新され、操作パネル上の各種設定状態が自動的に更新される。
【００５３】
一方、ステップＳＰ１３０において当該パラメータ群がリコール範囲に属さなかった場合には、ここで「ＮＯ」と判定され、ステップＳＰ１２８はスキップされる。また、リコールセーフ機能によって当該パラメータ群がリコール範囲から外されていた場合には、ステップＳＰ１２４において「ＹＥＳ」と判定され、やはりステップＳＰ１２８はスキップされる。また、リコールセーフ機能によってリコール範囲から外されておらず、かつ、第ｉ番目の範囲選択リコールが無効であった場合には、ステップＳＰ１２４，ＳＰ１２６において共に「ＮＯ」と判定され、範囲選択リコールの設定状態にかかわらず当該パラメータ群がカレント領域にコピーされることになる。
【００５４】
次に、処理がステップＳＰ１３４に進むと、未処理のパラメータ群がワーク領域に残存しているか否かが判定される。ここで「ＹＥＳ」と判定されると、処理はステップＳＰ１２２に戻り、未処理のパラメータ群の中から一のパラメータ群（例えば、第１入力チャンネルのイコライザのパラメータ群）が処理対象として指定され、上述したステップＳＰ１２４〜ＳＰ１２８の処理が繰り返される。そして、ワーク領域に記憶された全てのパラメータ群に対してステップＳＰ１２４〜ＳＰ１２８の処理が実行された後に処理がステップＳＰ１３４に進むと、ここで「ＮＯ」と判定され、本ルーチンの処理が終了する。
【００５５】
このように、本実施形態によれば、リコール範囲に含まれていないパラメータ群はカレントデータに対して影響を及ぼすことが無いから、例えばイコライザ部８２の設定のみをリコール範囲にしておくと、そのイコライザ部８２の設定のみを他のシーンにおいても当該イコライザ部８２の設定内容をワンタッチで再現することができる。また、リコール範囲が異なる複数のシーンデータを順次リコールすることにより、これら複数のシーンデータを組み合わせたシーンを実現することができる。
【００５６】
さらに、本実施形態によれば、リコールセーフ機能と範囲選択リコール機能とを併用できるから、オペレータの操作が一層簡便になる。例えば、「シーンに拘らず常にリコール範囲から外すべき設定データ」については、リコールセーフ機能においてリコール範囲から外しておけばよいから、個々のシーンデータの内容を確認あるいは編集することが不要になる。また、リハーサル時に範囲選択リコール機能を用いてリコール範囲を定めていたとしても、本番時にはリコールセーフ機能を用いてリコール範囲をさらに狭めることができる。これにより、リハーサル時に予定していなかった様々な出来事に対して、オペレータが迅速に対応することができる。
【００５７】
４．８．レイヤ選択
次に、レイヤ・キー４３−１〜４３−６のうち何れかがオンされた場合の動作を図１１を参照し説明する。図において処理がステップＳＰ１５０に進むと、操作されたレイヤ・キーに対応するレイヤにおいて各チャンネルストリップに割り当てられているチャンネルのリストが準備される。次に、処理がステップＳＰ１５２に進むと、当該リスト中、未処理の項目の中の最初の一のチャンネルストリップ（例えばｋ＝１番目のチャンネルストリップ）に割り当てられたチャンネルが処理対象のチャンネルとして選択される。例えば、第２５〜第４８入力チャンネルのレイヤを選択するレイヤ・キー４３−２が操作された場合には、チャンネルのリストとして第２５〜第４８入力チャンネルを要素とするリストが準備され、第１番目のチャンネルストリップに割り当てられている第２５入力チャンネルがまず処理対象のチャンネルとして選択される。次に、処理がステップＳＰ１５４に進むと、カレントデータ中に含まれる当該チャンネルのデータに基づいて、当該チャンネルストリップ内の電動フェーダ６−ｋの操作位置、回転つまみ８−ｋの操作量およびＯＮキー４２−ｋのオン／オフ状態等、チャンネルストリップ１７−ｋにおける各種設定が実行される。
【００５８】
次に、処理がステップＳＰ１５６に進むと、カレントデータ内から当該チャンネルストリップ１７−ｋに割り当てられた当該チャンネルのチャンネル名が読み出される。次に、処理がステップＳＰ１５８に進むと、この読み出されたチャンネル名が所定コード「＃」であるか否かが判定される。ここで「ＮＯ」と判定されると、処理はステップＳＰ１５９に進み、表示モードがポート名モードであるか否かが判定される。表示モードがチャンネル名モードであればここで「ＮＯ」と判定され、処理はステップＳＰ１６０に進み、当該チャンネルのチャンネル名（入力チャンネル名設定ウィンドウ１２０にて設定されたチャンネル名）が当該チャンネルストリップの個別表示器２−ｋに表示される。
【００５９】
また、チャンネル名が所定コード「＃」であった場合、あるいは表示モードがポート名モードであった場合には、ステップＳＰ１５８またはＳＰ１５９において「ＮＯ」と判定され、処理はステップＳＰ１６６に進む。ここでは、入力パッチ部５８または出力パッチ部６６における結線状態に基づいて当該チャンネルに結線された入出力ポートのポート名が取得される。次に、処理がステップＳＰ１６８に進むと、当該ポート名は所定コード「＠」であるか否かが判定される。ここで「ＮＯ」と判定されると、処理はステップＳＰ１７０に進み、当該ポートのポート名（入力ポート名設定ウィンドウ１００にて設定されたポート名）が個別表示器２−ｋに表示される。
【００６０】
また、ポート名が所定コード「＠」であった場合には、ステップＳＰ１６８において「ＹＥＳ」と判定され、処理はステップＳＰ１１７２に進む。ここでは、当該ポートを介して接続された音源（図１の例では外部スイッチャー３０における各信号）の音源名がカレントデータから取得される。次に、処理がステップＳＰ１７４に進むと、該取得された音源名が個別表示器２−ｋに表示される。
【００６１】
以上のように、ステップＳＰ１５６〜ＳＰ１７４の処理が終了すると、処理はステップＳＰ１６４に進み、上述したチャンネルのリストの中に未処理の項目（チャンネルストリップ）が存在するか否かが判定される。ここで「ＹＥＳ」と判定されると、処理はステップＳＰ１５２に戻り、未処理のチャンネルストリップの中から一のチャンネルストリップが処理対象として指定され、上述したステップＳＰ１５４〜ＳＰ１６０，ＳＰ１６６〜ＳＰ１７４の処理が繰り返される。そして、全てのチャンネルストリップに対してかかる処理が実行された後に処理がステップＳＰ１６４に進むと、ここで「ＮＯ」と判定され、本ルーチンの処理が終了する。
【００６２】
以上のように、本実施形態のチャンネル名モードにおいては、各チャンネル毎に設定されたチャンネル名と、該チャンネルに対応するポート名のうち一方を、チャンネル名表示部１２４に入力される文字列に応じて選択し、チャンネルストリップ１７−ｋ内の個別表示器２−ｋに表示させることができる。また、チャンネル名表示部１２４には、（所定コード「＃」を含めて）チャンネル名のみを入力すればよいから、例えばチャンネル名モードにおいてポート名を表示させるために他のスイッチ等を操作する必要がなく、高い操作性を実現することができる。さらに、チャンネル名が所定コード「＃」ではない場合には、そのチャンネル名をそのまま個別表示器２−ｋに表示すればよく、さらに別のデータを読み込む必要が無いため、表示処理を迅速化することができる。
【００６３】
５．変形例
本発明は上述した実施形態に限定されるものではなく、例えば以下のように種々の変形が可能である。
（１）上記各実施形態においては、ミキシングシステム上で動作するプログラムによって各種機能を実現したが、このプログラムのみをＣＤ−ＲＯＭ、フレキシブルディスク等の記録媒体に格納して頒布し、あるいは伝送路を通じて頒布することもできる。
【００６４】
（２）上記実施形態における入力チャンネル名設定ウィンドウ１２０に代えて、図７に示す入力チャンネル名設定ウィンドウ１２０’を表示するようにしてもよい。図においてチャンネル番号表示部１２２、チャンネル名表示部１２４およびＥＸＩＴボタン１２８はウィンドウ１２０のものと同様である。ウィンドウ１２０’には、ウィンドウ１２０におけるポート名指定ボタン１２６は設けられておらず、これに代えて各入力チャンネル毎のチェックボックスから成るポート名指定部１２５が設けられている。
【００６５】
オペレータは、キーボード１６およびタッチパッド１８を操作して任意のチェックボックスをチェックし、またはチェックを解除することができる。そして、チェックされたボックスに係る入力チャンネルについては、チャンネル名モードにおいても個別表示器２−ｋには対応するポート名が表示される。
【００６６】
（３）また、上記実施形態においては、表示モード選択キー４４，４５はミキシングシステム全体に一組だけ設けられ、全チャンネルストリップ１７−１〜１７−ｎの表示モードが一律に設定されたが、表示モード選択キー４４，４５をチャンネルストリップ１７−１〜１７−ｎ毎に設け、各チャンネル毎に独立して表示モードを設定できるようにしてもよい。
【００６７】
【発明の効果】
以上説明したように本発明によれば、リコールすべき設定データの範囲を事前に各シーン毎に独立して設定できるから、簡単な操作で最適なシーンリコール操作を行うことができる。
【図面の簡単な説明】
【図１】本発明の一実施形態のミキシングシステム１のハードウエアブロック図である。
【図２】該ミキシングシステムの操作パネルの要部の平面図である。
【図３】本ミキシングシステムのミキシングアルゴリズムのブロック図である。
【図４】本ミキシングアルゴリズムの要部の詳細ブロック図である。
【図５】入力ポート名設定ウィンドウ１００を示す図である。
【図６】入力チャンネル名設定ウィンドウ１２０を示す図である。
【図７】図６の変形例のウィンドウ１２０’を示す図である。
【図８】範囲選択リコール設定ウィンドウ１３０を示す図である。
【図９】範囲選択リコール設定ウィンドウ１６０を示す図である。
【図１０】本ミキシングシステムの制御プログラムのフローチャートである。
【図１１】本ミキシングシステムの制御プログラムのフローチャートである。
【符号の説明】
１：ミキシングシステム、２：個別表示器部、２−１〜２−ｎ：個別表示器、６：電動フェーダ部、６−１〜６−ｎ：電動フェーダ、８：回転つまみ群、８−１〜８−ｎ：回転つまみ、１０：波形Ｉ／Ｏ部、１２：信号処理部、１４：大型表示器、１５：選択チャンネル調整部、１６：キーボード、１７−１〜１７−ｎ：チャンネルストリップ、１８：タッチパッド、２０：その他Ｉ／Ｏ部、２２：ＣＰＵ、２４：フラッシュメモリ、２４：（シーン領域）、２６：ＲＡＭ、２６：（カレント領域）、２８：バス、３０：外部スイッチャー、４１−１〜４１−ｎ：ＳＥＬキー、４２−１〜４２−ｎ：ＯＮキー、４４，４５：表示モード選択キー、５２：アナログ入力部、５４：デジタル入力部、５６：内蔵エフェクタ、５８：入力パッチ部、６０：入力チャンネル調整部、６０−１：第１入力チャンネル調整部、６８，７０：出力部、６２：ＭＩＸバス群、６４：ＭＩＸ出力チャンネル部、６６：出力パッチ部、６８：アナログ出力部、７０：デジタル出力部、８０：アッテネータ部、８２：イコライザ部、８４：ゲート部、８６：コンプレッサ部、８８：音量調節部、９０：センド調節部、１００：入力ポート名設定ウィンドウ、１０２：スロット番号表示部、１０４：ポート番号表示部、１０６：ポート名表示部、１０８：ソース名指定ボタン、１１０：ＥＸＩＴボタン、１２０，１２０’：入力チャンネル名設定ウィンドウ、１２２：チャンネル番号表示部、１２４：チャンネル名表示部、１２５：ポート名指定部、１２６：ポート名指定ボタン、１２８：ＥＸＩＴボタン、１３０，１６０：範囲選択リコール設定ウィンドウ、１３４：入力チャンネル選択部、１３６：パラメータ選択部、１３８：セットオールボタン部、１４０：クリアオールボタン部、１４２：ＥＸＩＴボタン、１４６：Ｒモード選択ボタン、１６２：エフェクタ選択部、１６４：ＤＣＡ選択部、１６８：ＥＸＩＴボタン、１４４，１４６，１７２，１７０：モード選択ボタン、１４８，１７４：ＥＮＡＢＬＥボタン。
【図１】
2004247898.tif 000003
【図２】
2004247898.tif 000004
【図３】
2004247898.tif 000005
【図４】
2004247898.tif 000006
【図５】
2004247898.tif 000007
【図６】
2004247898.tif 000008
【図７】
2004247898.tif 000009
【図８】
2004247898.tif 000010
【図９】
2004247898.tif 000011
【図１０】
2004247898.tif 000012
【図１１】
2004247898.tif 000013